(57)【要約】      （修正有）【課題】粉粒状、液状、流動体状などの各種原料や製品中に混在している鉄系等の異物を磁着除去するための棒状のマグネットであり、コンパクトにまとめられて安全性や組立性が高く簡便構造のバーマグネットを提供する。【解決手段】バーマグネット１００は永久磁石のマグネット単体１と同一外輪郭のヨーク２とを交互に隣接して配置し連結シャフト３により棒体として固定したものからなる。【選択図】図１
0003140250.tif 000002
【実用新案登録請求の範囲】
【請求項１】
棒状のマグネットであって、該マグネットは、永久磁石からなるマグネット単体とこれと同一外輪郭形状のＳＵＳ等の鋼鉄製のヨークとを交互に隣接して配置した棒体と、前記マグネット単体及びヨークを貫通して前記棒状を固定する連結シャフトとからなることを特徴とするバーマグネット。
【請求項２】
前記マグネット単体と前記ヨークはこれ等を覆うチューブにより被包されることを特徴とする請求項１に記載のバーマグネット。
【請求項３】
前記連結シャフトは、前記棒体の両端に配置されるエンドプラグに螺着されることを特徴とする請求項１に記載のバーマグネット。
【請求項４】
前記マグネット単体及びヨークが円形，楕円形，角形，しずく状形のものからなることを特徴とする請求項１乃至３に記載のバーマグネット。
【考案の詳細な説明】
【技術分野】
【０００１】
本考案は、粉粒状，液状，流動体状などの各種原料や製品中に混在している鉄系等の異物を磁着除去するための棒状のマグネットに係り、特に、コンパクトにまとめられて安全性及び組立性の高いバーマグネットに関する。
【背景技術】
【０００２】
樹脂，顔料，食品，薬品，香辛料，調味料，飼料，肥料などの各種原料中には、小鉄片や鉄粉などの異物の混入が見られる。また、これらの原料を使用した製品の製造ラインにおいては、そこで使用されるスクリューフィーダー，ロータリーバルブ，搬送パイプなどの設備の金属摩耗粉や、ミキサー，スライサー，カッター，シュレッダー，チョッパーなどの刃物の破損鉄片が製品中に混入する。そしてこの製造ラインで使用される各種設備の素材が鉄系からステンレス系へと移行しつつある今日においては、製品中に混入する金属摩耗粉も鉄系からステンレス系へと変化してきている。
このような状況下にあって、各種原料や製品中から鉄系及びステンレス系の金属粉や金属片などを除去することは、製品の安全性を確保する上で極めて重要であり、その対応策として、金属摩耗粉を強力に吸着除去できるマグネットが使用されるている。この公知技術として、例えば、「特許文献１」が挙げられる。
【特許文献１】特開平８−１０６４２号（図１）
【考案の開示】
【考案が解決しようとする課題】
【０００３】
「特許文献１」の「特開平８−１０６４２号」の「バーマグネット及びマグネットフィルタ」は本考案の出願人と同一人の出願によるもので構造的に似ているものであるが、構造が限定されたものであり、本考案のようにコンパクトにまとめられ、技術的範囲も広く、組立性や安全性の高いバーマグネットを提供するものではない。
【０００４】
本考案は、以上の事情に鑑みて考案されたものであり、コンパクトにまとめられ安全性や組立性の高いバーマグネットを提供することを目的とする。
【課題を解決するための手段】
【０００５】
本考案は、以上の目的を達成するために、請求項１の考案は、棒状のマグネットであって、該マグネットは、永久磁石からなるマグネット単体とこれと同一外輪郭形状のＳＵＳ等の鋼鉄製のヨークとを交互に隣接して配置した棒体と、前記マグネット単体及びヨークを貫通して前記棒状を固定する連結シャフトとからなることを特徴とする。
【０００６】
また、請求項２の考案は、前記マグネット単体と前記ヨークはこれ等を覆うチューブにより被包されることを特徴とする。
【０００７】
また、請求項３の考案は、前記連結シャフトは、前記棒体の両端に配置されるエンドプラグに螺着されることを特徴とする。
【０００８】
また、請求項４の考案は、前記マグネット単体及びヨークが円形，楕円形，角形，しずく状形のものからなることを特徴とする。
【考案の効果】
【０００９】
本考案の請求項１のバーマグネットによれば、本考案のバーマグネットはマグネット単体とヨークとを交互に隣接して配置し、これ等を連結シャフトを貫通させて保持固定したものからなり、簡単でコンパクトにまとめられるものからなる。
【００１０】
また、本考案の請求項２のバーマグネットによれば、棒状にまとめられたマグネット単体とヨークとはこれ等を覆うチューブによって被包されるため全体が安定保持され単一品としてまとめられ、外観品質の向上も図れる。
【００１１】
また、本考案の請求項３のバーマグネットによれば、連結シャフトは両端のエンドヨークに螺着されるためマグネット単体やヨークが安全に、かつ確実に固定保持される。
【００１２】
また、本考案の請求項４のバーマグネットによれば、バーマグネットの断面形状としては任意のものでよく、使用目的に対応し各種形状のものを使用することができる。
【考案を実施するための最良の形態】
【００１３】
以下、本考案のバーマグネットの実施の形態を図面を参照して詳述する。
【実施例１】
【００１４】
図１は本考案のバーマグネット１００の断面構造を示す。
バーマグネット１００は、大別して永久磁石からなるマグネット単体１と、ヨーク２と、連結シャフト３と、チューブ４及びエンドプラグ５等とからなる。ここで、マグネット単体１とヨーク２とは交互に隣接して配置され、１つの細長の棒体を形成する。チューブ４はこの棒体の外輪郭を被包するものからなる。また、連結シャフト３はマグネット単体１やヨーク２を貫通し、エンドプラグ５に螺着するものからなる。なお、このバーマグネット１００は図２に示すように断面形状が円形のものからなる。
【００１５】
マグネット単体１は、例えば、ネオジゥム，サマリウムコバルト等の希土類磁石等からなり、例えば、その保持力（ｉＨｃ）が１４，００００ｌ≒１，１１４ＫＡ／ｍ以上のものからなるが、勿論この値に限定するものではない。また、ヨーク２はＳＵＳ４００等からなり、チューブ４はＳＵＳ３０４やチタン等とからなりエンドプラグ５はＳＵＳ３０４からなるが、勿論それ等に限定するものではない。また、チューブ４は薄肉のもの（例えば、０．５ｍｍ程度のもの）からなる。
【００１６】
図１に示すように、マグネット単体１はヨーク２を挟んで夫々極の配置を互いに逆にしたものからなり、互いに反発するように配置される。連結シャフト３は前記のようにマグネット単体１やヨーク２に形成されている貫通孔を通って前記棒体の長手方向に配置され、その両端をエンドプラグ５，５に螺着する。これによりマグネット単体１やヨーク２は堅く固定される。このため、仮りにマグネット単体１やヨーク２やチューブ４に破損が生じてもこれ等の飛び出しが完全に防止される。
バーマグネット１００は以上のように、持ち運び可能の棒体状のものからなり、極めてコンパクトにまとめられる。よって、このバーマグネット１００を異物除去装置に自由に、かつ整然と配置することができ、取り扱い性が極めて簡便である。また、以上のように、飛び出しがなく安全性が極めて高い。また、バーマグネット１００はマグネット単体１とヨークを交互に重合して行くもので、反発力を拘束する治具等を用いることにより容易に組み付けることができ組立性も高い。
【実施例２】
【００１７】
図１及び図２に示したバーマグネット１００はその断面形状が円形のものからなるがバーマグネット１００は円形に限定するものではなく、例えば、図３に示すようにしずく状のものでもよい（バーマグネット１００Ａ）。その他角形，楕円等の任意の形状のものが採用可能である。
【００１８】
バーマグネット１００，１００Ａは以上のような構造のものが挙げられるが、これ等に限定するものではなく、同一技術的範疇のものが適用されることは勿論である。
【産業上の利用可能性】
【００１９】
本考案のバーマグネット１００，１００Ａは異物分離装置に適用されることは勿論であるが磁着除去を必要とするすべての装置に適用可能であり、その利用範囲は広い。
【図面の簡単な説明】
【００２０】
【図１】本考案のバーマグネットの全体構造を示す軸断面図。
【図２】図１のＡ−Ａ線断面図。
【図３】本考案のバーマグネットの別の実施例の全体構造を示す横断面図。
【符号の説明】
【００２１】
１        マグネット単体
２        ヨーク
３        連結シャフト
４        チューブ
５        エンドプラグ
１００    バーマグネット
１００Ａ  バーマグネット
【図１】
0003140250.tif 000003
【図２】
0003140250.tif 000004
【図３】
0003140250.tif 000005